(57)【要約】パック構造体（３）上の縮小フィルム（２）の縮小のための縮小トンネルであって、トンネル入口（５．１）及びトンネル出口（５．２）を備えるトンネル内部領域（５）を通って、縮小フィルム（２）を備えたパック構造体（３）が、縮小フィルム（２）の縮小のために、熱作用を受けて動作可能である。
2010520839.tif 000002
【特許請求の範囲】
【請求項１】
パック構造体（３）上の縮小フィルム（２）の縮小のための縮小トンネルであって、
トンネル入口（５．１）及びトンネル出口（５．２）を備えるトンネル内部領域（５）を通って、
縮小フィルム（２）を備えたパック構造体（３）が、縮小フィルム（２）の縮小のために、熱作用を受けて動作可能である縮小トンネルにおいて、
少なくとも１つのカメラ（１０、１１、１７）を、トンネル内部領域（５）の少なくとも１つの部分領域の監視のために備える監視システム（１３）を有することを特徴とする縮小トンネル。
【請求項２】
請求項１に記載の縮小トンネルにおいて、
カメラ監視システム（１３）の少なくとも１つのカメラ（１０、１１）は、トンネル内部領域（５）の外側に配置されていることを特徴とする縮小トンネル。
【請求項３】
請求項２に記載の縮小トンネルにおいて、
トンネル入口（５．１）及び/又はトンネル出口（５．２）で、トンネル内部領域（５）を外部から隔離する空気カーテン（８．１、９．１）を生成するための手段（８、９）を備え、かつ、
トンナル内部領域（５）の外側に構成される少なくとも１つのカメラ（１０）が、トンネル内部領域（５）、又は、トンネル内部領域の一部分を、少なくとも１つの空気カーテン（８．１、９．１）を通って、監視することを特徴とする縮小トンネル。
【請求項４】
請求項１乃至３のいずれかに記載の縮小トンネルにおいて、
少なくとも１つのカメラ（１７）が、トンネル内部領域（５）内に配置されることを特徴とする縮小トンネル。
【請求項５】
請求項１乃至４のいずれかに記載の縮小トンネルにおいて、
少なくとも１つのカメラ（１０、１１、１７）は、移動可能、及び/又は、旋廻可能に備えられて射ることを特徴とする縮小トンネル。
【請求項６】
請求項１乃至５のいずれかに記載の縮小トンネルにおいて、
少なくとも１のカメラ（１０、１１、１７）から供給された画像は、カメラシステム（１３）及びデータ通信線を介して、空間的に、又は、地理的に遠く離れた場所に通信可能であることを特徴とする縮小トンネル。
【請求項７】
請求項６に記載の縮小トンネルにおいて、
通信は、オンラインで行われることを特徴とする縮小トンネル。
【発明の詳細な説明】
【技術分野】
【０００１】
本発明は、請求項１の上位概念における縮小トンネルに関する。
【背景技術】
【０００２】
パック構造上の縮小フィルムを縮小するための縮小トンネルは、縮小パッカー、つまり、縮小フィルムを備えたパック構造体の包装のためのパッカー、又は、パック装置により公知である。
【０００３】
本発明の意義において、パック構造体を、縮小フィルムで包装されるべき様々のパック財産と理解し、このパック財産は、特に、いくつかのパック物と、又は、特に、いくつかの容器、瓶、缶、又は、このような１つの包装物からなる１つの包装物とからなるパック構造であり、この１つの包装物は、包装単位、又は、容器に、縮小される縮小フィルムによってまとめられている。
【先行技術文献】
【特許文献】
【０００４】
【特許文献１】欧州特許出願公開第０５１２２４４号明細書
【発明の概要】
【発明が解決しようとする課題】
【０００５】
本発明の課題は、視覚的な監視、及び/又は、縮小プロセスの制御を可能とする縮小トンネルを示すことである。
【課題を解決するための手段】
【０００６】
この課題のために、請求項１に対応する縮小トンネルが構成される。
【０００７】
本発明の更なる構成は、従属請求項に基づいている。本発明は、縮小パッカーの縮小トンネルを簡単化した図面及び側面図で示した図１及び図２に基づいて、以下で詳細に説明する。
【図面の簡単な説明】
【０００８】
【図１】縮小パッカーの縮小トンネルを示したものである。
【図２】縮小パッカーの縮小トンネルを示したものである。
【発明を実施するための形態】
【０００９】
図１で、縮小パッカー、つまり、パック構造３上の縮小フィルムを縮小させるための装置の縮小トンネルを１でもって示しており、さらに、例えば、包装単位、又は、容器４の構成のために、包装単位、又は、容器４で、パック構造体３を構成する１つの包装物が、縮小される縮小フィルム２によってまとめられている。
【００１０】
縮小トンネル１は、内部領域５を隔離するトンネル壁を介して外側に構成されており、この内部領域５を通って、縮小フィルム２で包まれたパック構造体３は、高温作用下で縮小フィルムを縮小させるために、又は、運搬装置、例えば、運搬ベルト６を用いて容器４を構成させるために動かされる。このため、内部領域５は、暖房装置７から熱気が運ばれ、その結果、縮小フィルムの縮小のために必要な、少なくとも２００℃の高温が実現される。
【００１１】
縮小フィルム２を備えたパック構造体３は、運搬装置６でもって、トンネル内部領域に入るトンネル入口５．１、並びに、容器４がトンネル内部領域５を去るトンネル出口５．２でも、それぞれ、その入口開口部、又は、その出口開口部の上側に装置８又は９を備えている。この装置８又は９を用いて、垂直又は本質的に垂直の気流によって、加熱された空気から、空気カーテン８．１又は９．１を生じさせ、さらに、トンネル内部領域５を隔離するためや１つハウス状にするために、トンネル入り口５．１及びトンネル入り口５．２に生じさせる。
【００１２】
装置８及び９は、例えば、本質的に、１つ又はいくつかのスリット上の気流が流れ出る開口部、及び、対応する気流が強く吹く箇所からなる。それらは、例えば、熱風を暖房装置７から供給される。トンネル内部領域の外で、いくつかのカメラ１０及び１１が備えられ、それを使って、トンネル内部領域のトンネル入口５．１、又は、トンネル出口５．２上で監視し、又は、そこで行われる縮小プロセスを監視可能であり、しかも、空気カーテン８．１や９．１を通っても行われる。
【００１３】
図１で記載された実施例の場合、ビデオカメラ１０は、トンネル入口５．１で、かつ、この入口から十分な間隔で、かつ、更なるビデオカメラ１１は、トンネル出口５．２で、その出口から十分か間隔を持って備えられており、例えば、１．５−２mの間隔である。トンネル内部領域５を照らすために、耐熱性の複数の電気ランプ１２が用いられ、この電気ランプ１２について、より簡単な記載の図１で、１つのランプのみで描かれている。
【００１４】
ビデオカメラ１０を用いて、空気カーテン８．１を通って、移動方向Ａに、トンネル入口５．１に引き続いて、トンネル内部領域５の第１の部分領域の監視、又は、視覚的な把握（視覚化）が行われ、そこ（部分領域）で、縮小過程の所定の処理が行われる。すなわち、それぞれのパック構造体３の下方にある重なり合う縮小フィルム２の部分２．１が補強を行い、それぞれのパック構造体３を縮小フィルムで覆う場合に構成される横の縮小部分２．２上の縮小フィルムの膨張が行われ、及び、本来の縮小過程の始まりが、それぞれの縮小フィルムの過熱によって、特に、それぞれのパック構造体が向く内部面で行われる。
更に、ビデオカメラ１０から、どんなことがあっても、縮小過程の監視、又は、把握処理が、既に決定している容器の処理後の視覚的外観、又は、縮小プロセスの品質を決定することができる。縮小過程のこの第１の処理で、引き続いて、いわゆる縮小フィルムの縮小が行われる。ビデオカメラ１１を用いて、空気カーテン９．１を通って、移動方向Ａで、トンネル出口５．２の前に、トンネル内部領域５の部分領域が把握され、かつ、縮小される縮小フィルムを備えたパック構造体３又は、容器４、及び、それぞれの縮小過程の品質をも把握される。
【００１５】
ビデオカメラ１０及び１１は、カメラシステム、又は、監視システムの構成要素であり、このカメラシステム、又は、監視システムは、カメラ１０及び１１から生じる画像の多様な使用を可能であり、例えば、特に、モニタ１４に画像を表示させ、その結果、これらの画像を考慮の下、特に、縮小プロセスの最適な制御、又は、縮小トンネル１及び/又は包装ラインを備えたトンネルの最適な調整、特に、縮小フィルムの交換の場合、及び/又は、構造体の交換の場合等にも可能である。
【００１６】
更に、縮小プロセスで生じた欠陥の場合、目的にかない、かつ、迅速な欠陥分析により、生じた欠陥の修理を実現するために、カメラ１０及び１１から供給された画像が、カメラシステム１３、及び、データ通信線を介して、例えば、インターネット接続を介して、空間的に又は地理的に遠く離れたサービス、特に、縮小トンネルの製造者のサービス部門に伝達するという可能性もある。
【００１７】
同時に、カメラシステムから縮小過程の間、撮影された画像は、すぐに、つまり、時間的な遅れなしに、別の場所に送られ、その結果、縮小プロセスは、すぐに、この場所から変更及び監視される。当業者は、データ通信の場合、オンライン通信の時間的遅れなしに、判断することが特別な利点である。
【００１８】
更に、カメラ１０及び１１から供給された画像、又は、画像データは、文書作成の目的のために保存され、その結果、このデータは、必要な場合に、呼び出すことが可能であるという可能性がある。
【００１９】
上記のように、トンネル内部領域５の外側に、２つのカメラ１０及び１１を備えることを前提にしている。当然、カメラの数は、より多くすることも可能であり、又、１つだけ又はいくつかのカメラを備え、まず、トンネル入口５．１に続いて、移動方向Ａに、縮小過程の本質的な処理が行われる次のトンネル内部領域５の部分領域を把握することで十分である。
【００２０】
図２は図１のような記載で、縮小トンネル１aを示し、この縮小トンネル１aは、トンネル入口５．１とトンネル出口５．２で、空気カーテン８．１又は９．１の生成のための装置８及び９の代わりに、それぞれ、耐熱性の材料からできた薄地のカーテン、又は、厚地のカーテン１５（トンネル入口５．１で）又は１６（トンネル出口５．２で）を備えた点で、縮小トンネル１とは本質的に異なる。トンネル内部領域５の１つのハウスを、トンネル入口５．１、又は、トンネル出口５．２で実現するカーテン１５及び１６は、例えば、１つの部分、又は、いくつかの部分から構成され、しかも、究極の場合、例えば、いくつかのカーテン要素が、運搬ベルト６の移動方向Ａに対して垂直に、互いに接して、及び/又は、移動方向に重なり合って設置されている。
【００２１】
監視のために、トンネル内部領域５で、少なくとも１つのビデオカメラ１７が備えられ、しかも、好ましくは、高温を保持し、かつ、旋廻可能、及び/又は、移動可能であり、その結果、トンネル内部領域５の全ての細部や進行をとても正確に監視可能としている。他方、カメラ１７は、カメラシステム１３の構成要素であり、このカメラシステム１３でもって、カメラ１７の画像が、前述でカメラ１０及び１１の画像又は画像データのために記載されたような同様の方法で、モニタ１４上に表示され、及び/又は、他のところで用いられる。１１の近くで、遮断した線で記載されているように、トンネル内部領域５の外側に、更なるカメラが備えられることも可能性にある。ビデオカメラ１７は、好ましくは、トンネル内部領域５の冷却、又は、冷却された領域に、かつ、しかも縮小フィルムの縮小のためにノズルから流れ出る熱気流の外側に備えられている。
【００２２】
運搬機、又は、運搬ベルト６は、単線のパック物の流れ、又は、複数線のパック物の流れのために構成されている。
【符号の説明】
【００２３】
１、１a  縮小トンネル
２  縮小フィルム
３  パック構造体
４  容器
５  トンネル内部領域
５．１  トンネル入口
５．２  トンネル出口
６  運搬ベルト
７  暖房装置
８，９  空気カーテンを生成するための装置
８．１、９．１  空気カーテン
１０、１１  ビデオカメラ
１２  ランプ
１３  カメラシステム、又は、監視システム
１４  モニタ
１５、１６  カーテン
１７  カメラ
Ａ  移動方向
【図１】
2010520839.tif 000003
【図２】
2010520839.tif 000004
【国際調査報告】
2010520839.tif 000005
2010520839.tif 000006
2010520839.tif 000007
2010520839.tif 000008
2010520839.tif 000009
2010520839.tif 000010